(57)【要約】      （修正有）【課題】仏壇にも置けるが、仏壇と関係なく単独での使用も可能で、故人の遺影および戒名を効果的に表示することができる位牌を提供する。【解決手段】位牌本体１１そのものが一体の部材よりなり、仏壇とは独立した形で所望の大きさ、所望の形態にデザインされ、その前面側の所定スペース以上に遺影の表示部１３、その他のスペースに戒名表示部１２が設けられ、遺影等表示部１３の遺影３は任意に変更可能となっているとともに、戒名表示部１２は、戒名プレート嵌合用の第１の凹溝部１２ａと、第１の凹溝部１２ａ内にあって、第１の凹溝部の凹溝面から奥方向に深さが深くなる戒名プレート取り出し用の第２の凹溝部１２ｃと、第１の凹溝部内に嵌合される磁気吸着可能な戒名プレート２と、第１の凹溝部の凹溝面に設けられた戒名プレート係止用のマグネット１２ｂとから構成される。【選択図】図４
0003200530.tif 000002
【実用新案登録請求の範囲】
【請求項１】
位牌本体そのものが一体の部材よりなり、仏壇とは独立した形で所望の大きさ、所望の形態にデザインされ、その前面側の所定スペース以上に遺影の表示部、その他のスペースに戒名表示部が設けられ、上記遺影等表示部の遺影は任意に変更可能となっているとともに、上記戒名表示部は、戒名プレート嵌合用の第１の凹溝部と、該第１の凹溝部内にあって、該第１の凹溝部の凹溝面から奥方向に深さが深くなる戒名プレート取り出し用の第２の凹溝部と、上記第１の嵌合溝内に嵌合される磁気吸着可能な戒名プレートと、上記第１の凹溝部の凹溝面に設けられた戒名プレート係止用のマグネットとからなることを特徴とする位牌。
【考案の詳細な説明】
【技術分野】
【０００１】
この出願の考案は、故人の戒名を入れて、仏壇その他の部分に置かれる位牌の構造に関するものであり、さらに詳しくは、故人の戒名とともに故人の在りし日の姿（写真等）を表示することができるようにした位牌の構造に関するものである。
【背景技術】
【０００２】
従来一般の位牌は、下部側から上部側に、框（かまち）構造の台座部、返り花部、なす部、上花部、二の板部、蓮座部、札板部などを積層連結してなり、札板部は、例えば板縁と、板縁内に収納される札板とからなっている。そして、札板表面には戒名が表示され、札板は戒名板あるいは単に戒名とも称される（例えば、特許文献１の構成を参照）。
【０００３】
そして、このような位牌は、一般に仏壇に置かれ、遺族は毎日故人の面影を偲びながら、お参りをするのが通例である。
【０００４】
ところが、上記従来一般の位牌の場合、単に札板部の札板に戒名が記載されているだけであり、故人の面影は遺族の頭の中に浮かぶものだけである。したがって、どうしても時の経過とともに薄れてゆかざるを得ない。これでは寂しい。
【０００５】
そのような事情から、上記札板の一部（戒名上部）に個人の遺影（顔写真）を表示できるようにしたものが提案されている（例えば、特許文献２の構成を参照）。
【０００６】
このように、札板の一部に個人の遺影（顔写真）があると、戒名とともに、故人の在りし日の顔を見ることができるので、いつまでも薄れることなく故人の面影を抱き続けることができる。
【０００７】
また、回出式の位牌の場合には、位牌ごとに該当する故人の遺影（顔写真）を表示して置けば、法事等において、それぞれの故人の位牌を前面側に回出して飾ることもできる。
【０００８】
さらに、それに加えて、板縁部分を前後方向に厚みのあるものとして、その下部に空洞部を設け、故人の経歴書などを入れるようにすることもできる（同じく特許文献２の構成を参照）。
【先行技術文献】
【特許文献】
【０００９】
【特許文献１】特開２００８−１５４９３号公報
【特許文献２】特開平１０−１４６２６４号公報
【考案の概要】
【考案が解決しようとする課題】
【００１０】
しかし、上記従来の位牌の場合、単に戒名板の戒名上部に顔写真等の遺影を部分的に表示するだけであるから、遺影表示部が小さく、故人の生前の姿全体や家族写真等を表示することができない。そのため、面影を偲ぶにはリアリティーに欠け、また、本来戒名板部分に戒名以外の表示を施す点で好ましくない。
【００１１】
また、従来の戒名板繰り出し式の位牌の場合、複数枚の戒名板を入れるのには便利なのであるが、戒名板自体の収納、取り出しが必ずしも容易でない欠点がある。
【００１２】
さらに、上記従来一般の位牌の場合、いわゆる仏具として、仏壇中に収められるように仏壇にマッチしてデザインされている。したがって、例えばマンションなどの仏壇を置くには狭い部屋において、遺骨や遺品などを一緒に収納して仏壇を兼用する形で位牌を利用するといった現代的な利用形態には適さない。
【００１３】
この出願の考案は、このような従来の位牌の問題を解決するためになされたもので、位牌の本体部そのものを仏壇とは独立した形で所望の大きさ、所望の形態にデザインし、その前面側に遺影等の表示部と戒名の表示部を独立に設けることにより、仏壇とは別に、仏壇を兼用する形で利用することが可能で、故人の遺影を大きく表示することができ、戒名プレートの交換も容易な現代的な位牌を提供することを目的とするものである。
【課題を解決するための手段】
【００１４】
この出願の考案は、以上の課題を解決するために、次のような課題解決手段を備えて構成されている。
【００１５】
すなわち、この出願の考案は、位牌本体そのものが一体の部材よりなり、仏壇とは独立した形で所望の大きさ、所望の形態にデザインされ、その前面側の所定スペース以上に遺影の表示部、その他のスペースに戒名表示部が設けられ、上記遺影等表示部の遺影は任意に変更可能となっているとともに、上記戒名表示部は、戒名プレート嵌合用の第１の凹溝部と、該第１の凹溝部内にあって、該第１の凹溝部の凹溝面から奥方向に深さが深くなる戒名プレート取り出し用の第２の凹溝部と、上記第１の凹溝部内に嵌合される磁気吸着可能な戒名プレートと、上記第１の凹溝部の凹溝面に設けられた戒名プレート係止用のマグネットとから構成されている。
【００１６】
このような構成の場合、位牌本体そのものが一体の部材よりなり、仏壇とは独立した形で所望の大きさ、所望の形態にデザインされていることから、そのデザインにより仏壇を兼用する形での利用が可能であり、仏壇の有無に関係なく仏壇代わりの利用が可能となる。したがって、都会の部屋が狭いマンションでの一人住まいの高齢者などにとって、価格も安く、非常に便利なものとなる。
【００１７】
そして、同位牌は、その前面側の所定スペース以上に遺影等の表示部、その他のスペースに戒名表示部がそれぞれ独立して設けられるようになっている。したがって、遺影表示部の面積が十分に大きくなり、故人の生前の姿全体や家族写真等を写真又は画像の形で有効に表示することができるようになる。
【００１８】
そのため、十分なリアリティーをもって故人の面影を偲ぶことができるようになる。また、戒名部分に遺影等を表示する場合の問題を解決することができる。
【００１９】
しかも、上記遺影等表示部の遺影は任意に変更可能となっており、故人本人のみの写真、画像や家族、友人との写真、画像を任意に表示することができる。
【００２０】
さらに、上記戒名表示部は、戒名プレート嵌合用の第１の凹溝部と、該第１の凹溝部内にあって、該第１の凹溝部の凹溝面から、さらに奥方向に深さが深くなる戒名プレート取り出し用の第２の凹溝部と、上記第１の凹溝部内に嵌合される磁気吸着可能な戒名プレートと、上記第１の凹溝部の凹溝面に設けられた戒名プレート係止用のマグネット部材とからなり、上記戒名プレートは、上記第１の凹溝部内に嵌合されると、上記第１の凹溝部の凹溝面に設けられた戒名プレート係止用のマグネット部材により磁気的に吸着されて確実に係止固定される。
【００２１】
したがって、戒名プレートは、戒名プレート嵌合用の第１の凹溝部に嵌合するだけで、きちんと嵌合係止され、固定される。そのため、取り付けは極めて容易である。
【００２２】
他方、該第１の凹溝部内には、該第１の凹溝部の凹溝面から、さらに奥方向に深さが深くなる戒名プレート取り出し用の第２の凹溝部が設けられている。したがって、上記マグネット部材によって係止されている戒名プレートは、同第２の凹溝部に対応する背後部分では、何らの支持がなく、押されると簡単に後方に傾斜し、マグネット部材による直接的な磁気吸着状態が解除される。その結果、簡単に取り出すことができる。
【００２３】
この場合、当該第２の凹溝部には、さらに必要に応じて、納骨用の空間部や遺品収納用の空間部が形成される。
【００２４】
そのようにした場合、納骨や遺品の保管が可能となることから、より仏壇代わりの機能を高めることができる。
【考案の効果】
【００２５】
以上の結果、この出願の考案によれば、従来の位牌の問題を確実に解消することができ、仏壇を兼用する形での利用が可能で、故人の遺影を大きく表示することができ、戒名プレートの交換も容易な位牌を安価に提供することが可能となる。
【図面の簡単な説明】
【００２６】
【図１】この出願の考案の実施の形態に係る位牌の構成を示す正面図である。
【図２】同実施の形態に係る位牌の構成を説明するための当該位牌の正面図である。
【図３】同実施の形態に係る位牌の構成を説明するための当該位牌の底面図である。
【図４】同実施の形態に係る位牌の構成を説明するための当該位牌の分解斜視図である。
【図５】同実施の形態に係る位牌の構成を説明するための遺影および戒名プレートを入れていない状態における当該位牌の正面図である。
【図６】同実施の形態に係る位牌の構成を説明するための当該位牌の断面図（図２のＡ−Ａ断面図）である。
【図７】同実施の形態に係る位牌の戒名プレート取り外し時の構成と作用を説明するための当該位牌の要部（戒名表示部）の断面図である。
【図８】同実施の形態に係る位牌の要部（戒名表示部）の内部の構成を変形した変形例１における当該位牌の断面図である。
【図９】同実施の形態に係る位牌を縦型の構成から横型の構成に変形した変形例２における当該位牌の正面図である。
【考案を実施するための形態】
【００２７】
図１〜図７は、この出願の考案を実施するための形態（以下、単に実施の形態という）に係る位牌の構成と作用を示している。
【００２８】
この実施の形態に係る位牌は、基本的な構成として、位牌本体そのものが全体に亘って一体の同一部材よりなり、同位牌本体が仏壇とは独立した形で所望の大きさ、所望の形態（独自の斬新な形態）にデザインされ、その前面側スペースの所定スペース以上に遺影等の表示部、その他のスペースに戒名表示部が設けられており、上記遺影等表示部の遺影が任意に変更可能となっているとともに、上記戒名表示部は、戒名プレート嵌合用の第１の凹溝部と、該第１の凹溝部内にあって、該第１の凹溝部の凹溝面から奥方向に深さが深くなる戒名プレート取り出し用の第２の凹溝部と、上記第１の凹溝部内に嵌合される磁気吸着可能な戒名プレートと、上記第１の凹溝部の凹溝面に設けられた戒名プレート係止用のマグネット部材等とからなることを特徴としている。
【００２９】
以下、これら本実施の形態の位牌を構成する各部の構成と作用について、図１〜図７を参照しながら詳細に説明してゆく。
【００３０】
先ず、図中符号１１は、この実施の形態における位牌１の位牌本体であり、この位牌本体１１は、正面および背面から見ると比較的幅広で縦に長い長方形状をなし、上端側は中央が高く、左右両側が低い円弧面を形成している。また、左および右側方から見ると背面１１a側は上下方向にストレートな形状であるが、前面側では上部１１ｂ側では厚みが薄いが、下方に向けて緩やかなＳ字カーブを描きながら下部１１ａ側で特に厚みが大きくなった女性の肩から腰に至る滑らかなラインを思わせるすらりとした形状をしている。また、平面は上記上部側厚さの薄さに対応した長方形状、底面は上記下部側厚さの厚みに対応した長方形状をしている。
【００３１】
そして、同位牌本体１1の前面側の上記厚さが薄い上部１１ｂ部分に遺影表示部１３、その下部側の上記厚さが厚くなった下部１１ａ部分に戒名表示部１２が、それぞれ相互に独立する形で設けられている。上記前後方向に厚さが薄い上部１１ｂ部分（Ｓ字カーブ上部側部分）の上下寸法と下部側の上記厚さが厚くなった下部１１ａ部分（Ｓ字カーブ下部部分）の上下寸法との比率は、例えば６：４ないし７：３程度の割合で、上記厚さが薄い上部１１ｂ部分の上下寸法の方が大きく形成されており、それにより遺影表示部１３の設置スペースが十分に大きく形成されている。
【００３２】
この遺影表示部１３は、図４および図６に示されるように、所定の深さだけ背面方向に凹まされて、例えば写真の所定の版寸法に対応した大きさと形状の凹溝面１３ａを形成しており、同凹溝面１３aの４隅のコーナー部の内の何れか一組の対角部には、円柱体構造のマグネット１３ｂ、１３ｂが同一平面状に埋設されている。
【００３３】
そして、この凹溝面１３ａ上には、図４および図６に示すように、遺影（故人の写真）３が嵌め込まれ、さらに、その上に上記マグネット１３ｂ、１３ｂによって吸着される鉄等磁性金属製のフレーム（写真固定枠）４が嵌め込まれ、その枠体４ａの上記対角方向のコーナー部でマグネット１３ｂ、１３ｂにより吸着されることによって、上記遺影３の全周を固定するようになっている。
【００３４】
したがって、遺影３の装着は、上記凹溝面１３ａに遺影（写真）３を入れて、上記フレーム４をマグネット１３ｂ、１３ｂに吸着させるだけで良く、簡単に装着することができ、また逆に簡単に取り外すことができる。
【００３５】
他方、位牌本体１1下部側の上記厚さが厚くなった下部１１ａ部分の前面側略中央部には、左右両方向に長く伸びる形で横長の戒名表示部１２が設けられている。
【００３６】
この戒名表示部１２は、深さの浅い下段側第１の凹溝部１２ａと、該第１の凹溝部１２ａの凹溝面上部を、さらに奥側に深く切り欠いた深さの深い上段側第２の凹溝部１２ｃとにより形成されており、第１の凹溝部１２ａの凹溝面上部の一側（図示向かって右側）には、上記遺影表示部１３の場合と同様の円柱体構造のマグネット１２ｂが同一面状に埋設されている。
【００３７】
そして、同第１の凹溝部１２ａに、鉄等磁性のある金属製の戒名プレート２が嵌め込まれ、その凹溝面上部右側のマグネット１２ｂに吸着されることによって、図６のように固定されている。この戒名プレート２は、図１、図２、図４に示されるように、見栄えの良い高品質の磁性金属材により形成されるが、その表面には、例えば亡くなった日付や戒名、享年が記載されるので、所定の塗料、インク等で美しく書くことができるように、必要な表面処理が施されている。
【００３８】
他方、第２の凹溝部１２ｃは、上記第１の凹溝部１２ａの凹溝面上段約半分部分を後方に一段と深く切り欠いて形成されており、上記のように第１の凹溝部１２ａの凹溝面にマグネット１２ｂにより吸着固定されている上記戒名プレート２の上部２ａ部分を図７に示すように背面方向に指で押すと、上記第１の凹溝部１２ａと第２の凹溝部１２ｃとの段差部（境界部）１２ｄ部分を支点として、戒名プレート２の上半分部分が後方に大きく傾斜する一方、下部２ｂ側下半分部分が第１の凹溝１２ａ部分より前方に突出するようになる。
【００３９】
そこで、同状態において、例えば同下部２ｂ側部分を上記上部２a部分を押した指（人差し指）と別の指（薬指）で挟んで取り出すことにより、簡単に取り外すことができる。
【００４０】
この場合、上記マグネット１２ｂが、上記第１の凹溝部１２aの凹溝面（下段側手前の凹溝面）の右側寄りに在って、しかも同凹溝面の上部側第２の凹溝部１２ｃとの段差部（戒名プレート２後傾時の支点部）１２ｄ付近にあり、また段差部１２ｄは、上記第１、第２の凹溝部１２a、１２ｂ間の左右方向の全体に亘って設けられている。
【００４１】
したがって、上記戒名プレート２の上部２aが後方に押されて後傾しつつある図７の仮想線の状態でも、段差部１２ｄ部分で戒名プレート２に十分にマグネットの吸着力が作用した状態で、段差部１２ｄにより中央部が支持されるようになる。
【００４２】
その結果、上記戒名プレート２は、例えばヒンジ軸で枢着されているような安定した状態で段差部１２ｄのエッジ部に支持されて、図７の仮想線に示すように後方に傾動され、スムーズに取り外すことができるようになる。このため、戒名プレート２の上部２aを押した途端にマグネット１２ｂの吸着力が無くなって外れて落ちるというようなことがなくなる（押すのを止めると元に戻る）。
【００４３】
このような構成の位牌1の場合、まず位牌本体１1そのものが一体の部材よりなり、仏壇とは独立した形で所望の大きさ、所望の形態にデザインされていることから、そのデザインにより仏壇を兼用する形での利用が可能であり、仏壇の有無に関係なく仏壇代わりの利用が可能となる。したがって、都会の部屋が狭いマンションでの一人住まいの高齢者などにとって、価格も安く、非常に便利なものとなる。
【００４４】
そして、同位牌1は、その寸法比から明らかなとおり、前面側スペースの半分以上のスペースに遺影表示部１３、その他のスペースに戒名表示部１２が設けられるようになっている。したがって、遺影表示部１３の面積が十分に大きくなり、故人の生前の姿全体や家族写真等を写真の形で有効に表示することができるようになる。
【００４５】
そのため、十分なリアリティーをもって故人の面影を偲ぶことができるようになる。また、従来のような戒名板部分に遺影を表示する問題を確実に解決することができる。
【００４６】
しかも、上記遺影表示部１３の遺影はフレーム４を外して簡単に入れ替えできるようになっており、故人本人の写真だけでなく、家族、友人との写真なども所望に表示することができる。
【００４７】
さらに、上記戒名表示部１２は、戒名プレート２嵌合用の第１の凹溝部１２aと、該第１の凹溝部１２a内にあって、該第１の凹溝部１２aの凹溝面上段から、さらに奥方向に深さが深くなる戒名プレート取り出し用の第２の凹溝部１２ｃと、上記第１の嵌合溝１２a内に嵌合される磁気吸着可能な戒名プレート2と、上記第１の凹溝部１２aの凹溝面に設けられた戒名プレート係止用のマグネット１２ｂとからなり、上記戒名プレート２は、上記第１の凹溝部１２a内に嵌合されると、上記第１の凹溝部１２aの凹溝面に設けられた戒名プレート係止用のマグネット１２ｂにより磁気的に吸着されて確実に係止固定される。
【００４８】
したがって、戒名プレート２は、戒名プレート２嵌合用の第１の凹溝部１２aに嵌合するだけで、きちんと嵌合係止され、固定される。そのため、取り付けは極めて容易である。繰り出しようの挿入溝なども要らない。
【００４９】
そして、該第１の凹溝部１２a内には、該第１の凹溝部１２aの凹溝面上段から、さらに奥方向に深さが深くなる戒名プレート取り出し用の第２の凹溝部１２ｃが設けられている。したがって、上記マグネット１２ｂによって係止されている戒名プレート２は、同第２の凹溝部１２ｃに対応する背後部分では、何らの支持がなく、押されると簡単に後方に傾斜し、マグネット１２ｂによる直接的な吸着結合状態が解除され、吸引力が作用するのみの状態となる。その結果、安定した傾動が可能となり、また落下させることなく、スムーズに取り外すことができる。
【００５０】
しかも、同構成の位牌1では、以上のような構成に加えて、さらに底部１４の底面部中央には、左右両側に位置して、上述したマグネット１２ｂ、１２ｂ,１３ｂ、１３ｂよりも直径の大きい円柱体構造のマグネット１４a、１４aが同一面構造に埋設されており、これらマグネット１４a、１４aを介して、例えば仏壇その他の部分に設けられた鉄板等の固定された磁性金属板上に吸着状態で載置されるようになっている。そのため、地震等が来ても容易には倒れない。
【００５１】
以上の結果、この実施の形態によれば、従来の位牌の問題を確実に解消することができ、ミニ仏壇として仏壇を兼用する形での利用が可能で、故人の遺影を大きく表示することができ、戒名プレートの交換が容易な現代的な位牌を安価に提供することが可能となる。
【００５２】
また、以上の場合、遺影表示部１３の凹溝面１３aの下端側には、比較的前後左右に広い段部面が形成されている。したがって、この部分を利用して、お供え物を置いたり、花立を設けることもできる。
【００５３】
この結果、位牌として、ミニ仏壇として、多様な手元供養スタイルを実現することができ、これまでの位牌では想定できなかった新しい供養の形を実現することが可能となる。もちろん、地震等の際の持ち出しも容易である。
（変形例１）
この出願の考案の場合、種々の変形が可能であり、例えば図８に示すように、上記実施の形態における第２の凹溝部１２ｃ部分には、同第２の凹溝部１２ｃの凹溝面部分をさらに奥側および下側に深く切り欠いて、納骨用や遺品収納用の空間部１２eを設けることもできる。
【００５４】
このようにした場合、遺骨や遺品等１５の保管が可能となることから、より仏壇代わりの機能を高めることができる。遺骨を収納する場合、例えば筒型のミニ骨壺を採用することが考えられる。
【００５５】
その他の部分の構成は、上記実施の形態の構成と同様であり、同様の作用を奏する。
（変形例２）
以上の実施の形態および変形例１の構成では、位牌本体1１を縦置き型のものとして構成したが、これは例えば図９に示すように、横置き型のものとして、縦書きの戒名プレート２を採用するようにしても良い。
（変形例３）
以上の実施の形態および変形例１、変形例２の構成では、戒名プレート２を磁気吸着構造のものとして、１枚の戒名プレート２のみを嵌合する構成としたが、これは例えば戒名プレート１枚の厚さを薄くすることによって、複数枚重ねた戒名プレートの表面側のものまでマグネット１２ｂの吸着力が作用するようにし、それによって複数枚重ねた収納を可能とすることもできる。
【００５６】
このような構成にすると、回出し型のものと同様に複数の故人の戒名および写真を交換可能に表示することができる。
（変形例４）
以上の実施の形態および変形例１、変形例２、変形例３の構成では、戒名プレート２を磁気吸着構造のものに構成したが、これは例えば位牌本体1１内に従来のような戒名プレート挿入溝および表示窓を設け、同戒名プレート挿入溝に対して、位牌本体1１の側面から複数枚の戒名プレートを挿入できるようにしても良い。これにより回出位牌構造にすることができる。また、戒名プレート２の戒名は、記載型に限らず、直接プレート面上に美しく彫り込む様にしても良い。
（変形例５）
以上の実施の形態および変形例１、変形例２、変形例３、変形例４の構成では、遺影表示部１３に写真を入れて表示するように構成したが、これは例えばフォトパネルのような画像ディスプレイ構造としても良い。また、写真に変えて、各宗派の本尊を祀ることもできる。さらに、名号に入れ替えても良い。
【符号の説明】
【００５７】
１は位牌
２は戒名プレート
３は遺影
４はフレーム
１１は位牌本体
１２は戒名表示部
１２aは第１の凹溝部
１２ｂはマグネット
１２ｃは第２の凹溝部
１２ｄは段差部
１３は遺影表示部
１３aは凹溝面
１３ｂはマグネット
１４aはマグネット
【図１】
0003200530.tif 000003
【図２】
0003200530.tif 000004
【図３】
0003200530.tif 000005
【図４】
0003200530.tif 000006
【図５】
0003200530.tif 000007
【図６】
0003200530.tif 000008
【図７】
0003200530.tif 000009
【図８】
0003200530.tif 000010
【図９】
0003200530.tif 000011